(57)【要約】      （修正有）【課題】従来の大型の注連縄、あるいは、これを単に小型化した注連縄とは形状が顕著に異なり、しかも、いろんな祈願目的に違和感なく用いることができる「龍形状の注連縄飾り」を提供する。【解決手段】少なくとも頭部２、髭部６ａ、ｂ、角部８ａ、ｂ、胴体部３、尾部４を備えた龍形状の注連縄飾りであって、頭部は、胴体部の先端部に設けられ、鱗片が閉じた状態の松毬で形成され、髭部は、松葉、竹の枝、三又の枝、雲竜柳の枝の少なくともいずれかで形成され、角部は、松葉、竹の枝、三又の枝、雲竜柳の枝の少なくともいずれかで形成され、胴体部は、稲藁で形成され、尾部は、胴体部の後端部に備えられた稲穂で形成されている。【選択図】図１
0003230999.tif 000002
【実用新案登録請求の範囲】
【請求項１】
少なくとも頭部、髭部、角部、胴体部、尾部を備えた龍形状の注連縄飾りであって、
前記頭部は、前記胴体部の先端部に設けられ、鱗片が閉じた状態の松毬で形成され、
前記髭部は、松葉、竹の枝、三又の枝、雲竜柳の枝の少なくともいずれかで形成され、
前記角部は、松葉、竹の枝、三又の枝、雲竜柳の枝の少なくともいずれかで形成され、
前記胴体部は、稲藁で形成され、
前記尾部は、該胴体部の後端部に備えられた稲穂で形成されている
ことを特徴とする龍形状の注連縄飾り。
【請求項２】
前記胴体部を形成する稲藁は、
稲根及び稲穂を除去した稲藁、又は、稲根及び稲穂付きの稲藁のいずれか一方で形成されている
ことを特徴とする請求項１に記載の龍形状の注連縄飾り。
【請求項３】
前記鱗片が閉じた状態の松毬は、少なくとも一年間、鱗片の開きを遅延する処理が施された松毬で形成されている
ことを特徴とする請求項１又は請求項２に記載の龍形状の注連縄飾り。
【考案の詳細な説明】
【技術分野】
【０００１】
本考案は、注連縄飾りに関し、特に龍の形状に形成された注連縄飾りに関するものである。
【背景技術】
【０００２】
日本において、神道は、太古の人々より自然と調和した営みの中で培われてきた信仰と創造の賜物であり、人々は、より自然（宇宙、神、生命、愛、等と置き換えて表現されることもある。）を身近に感じられるよう、そして、それらへの感謝と畏敬の念を表すために様々な有形物・無形物を創造してきた。
【０００３】
自然、神羅万象全てのものに神は宿るという自然崇拝（アニミズム）の中で、その地域の風土、積み重ねてきた歴史、人々の感性を基に、伝承や伝説を生みだし、様々な神祀りの形を作り上げてきた。その中の一つに、注連縄というものがある。注連縄は、五穀豊穣への祈りと感謝を込めたもので、人々は、その年に米を収穫した後の稲藁を編み込んで作られた注連縄に、様々な意味や物語を加え、結界を表したり、雷雨の天（雲）となったり、龍や蛇に見立てたりした。
【０００４】
また、今日、注連縄は、神事において神聖な場所を画するために用いたり、又は、新年に門口に魔除けのために張ったりするための縄として広く知られている。また、近年では、神社等で授与品として販売され、購入者が自宅に持ち帰って、玄関、室内の床の間、神棚等に飾ることができるように、上述の注連縄を小型化して形成した、いわゆる、注連縄飾りも広く知られている。なお、注連縄飾りは、授与品としてだけでなく、一般の店舗等で販売されるものもある。
【０００５】
上述した注連縄飾りの従来技術として、例えば、特許文献１には、「神棚の代用として簡単かつ神聖にして部屋に飾れる他、大量生産に適して長期間ストックしておくことができ、価格も低廉なものとして需要者に供給することのできる御札用祭祀具を提供する」(段落「０００６」参照。)ことを目的として、「御札を納めるための奉祀部材と、該奉祀部材の近傍に装設される注連縄と、該注連縄を壁等に取り付けるための取付部材とを備えてなることを特徴とする御札用祭祀具」（「請求項１」参照。）が記載されている。
【０００６】
また、特許文献２には、「橙がぶらぶらせず、体裁もよく、また焼却しても針金が残留しない注連縄飾りを提供する」(段落「０００６」参照。)ことを目的として、「複数本の水引が、ネット状の包み部になるように結び込まれ、該包み部から両外方に延出する各端部側が束ね部に形成された水引飾りを用い、該水引飾りの前記包み部に橙を収納し、橙が注連縄本体の正面側にくるようにして前記水引飾りの両束ね部を注連縄本体に回し、両束ね部を結ぶことにより橙を注連縄本体に取り付けたことを特徴とする注連縄飾り」（「請求項１」参照。）が記載されている。
【０００７】
また、特許文献３には、「このように、恋愛成就を願い、また家族の絆を保つ為に神棚に奉げるしめ縄は存在しない。本考案が解決しようとする課題はこの問題点であり、恋愛成就や家族の絆を保ち、幸せを叶えるように神棚に奉げ、又は家庭の居間に掛けることが出来、しかも形状においてバランスを保ち、外観的に好ましいハート型しめ縄を提供する」(段落「０００９」参照。)ことを目的として、「２本のしめ縄を使用し、両しめ縄の基部側を下にして結束し、先端部を両側へ広げると共に下方へ移動して滑らかに湾曲し、そして上記結束した基部の下方に位置して先端側を結束することで左右対称のハートを形成したことを特徴とするハート型しめ縄」（「請求項１」参照。）が記載されている。
【先行技術文献】
【特許文献】
【０００８】
【特許文献１】実開平０５−０２０６７７号公報
【特許文献２】実用新案登録第３０６４００２号公報
【特許文献３】実用新案登録第３１７９４８０号公報
【考案の概要】
【考案が解決しようとする課題】
【０００９】
特許文献１に記載の「御札用祭祀具Ａ」の構成部品である「注連縄２」は、神社等で鳥居等に掛け渡して使用する古来の大型の注連縄を単に小型化したものであり、使用されている材料（天然素材からなる稲藁、複数枚の紙垂等。）や注連縄本体の形状等、日本では古くから使用されているものであり、特段の特徴がみられない。例えば、古来から使用されている注連縄としては、特許文献３に示すものがあるが（特許文献３、図１等参照。）、特許文献１は、このような従来の大型の注連縄の形状に対して、格別特徴のある相違点は見られないものと思われる。
【００１０】
特許文献２に記載の「注連縄飾り」もまた、神社等で鳥居等に掛け渡して使用する古来の大型の注連縄を単に小型化したものであり、使用されている材料（橙、うらじろ飾り、ごへい、水引飾り、稲わら等）や注連縄本体の形状等、日本では古くから使用されているものであり、特段の特徴がみられない。
【００１１】
また、特許文献３に記載の「ハート型しめ縄」は、「その目的を限定するものではない」(段落「０００９」参照。)との記載もあるが、「特に恋愛成就であり、家族の絆を保つ為にその形状はハート型をしている。」(段落「０００９」参照。)との記載もあるように、主たる目的は「恋愛成就」等になり、例えば、「五穀豊穣」、「合格」、「学業成就」、「安産」、「病気平癒」、「商売繁盛」、「寿命長遠」等、その他の祈願目的に使用するには、若干違和感をぬぐえない。
【００１２】
そこで、本考案は、従来の大型の注連縄、あるいは、これを単に小型化した注連縄とは形状が顕著に異なり、しかも、いろんな祈願目的に違和感なく用いることができる「龍形状の注連縄飾り」を提供することを目的とする。
【００１３】
また、本考案は、従来の注連縄のように、神事において神聖な場所を画するために用いたり、又は、新年に門口に魔除けのために張ったりする等、多目的用途のための龍形状の注連縄を提供することを目的とする。
【課題を解決するための手段】
【００１４】
上記の目的を達成するため、請求項１に記載の考案は、少なくとも頭部、髭部、角部、胴体部、尾部を備えた龍形状の注連縄飾りであって、前記頭部は、前記胴体部の先端部に設けられ、鱗片が閉じた状態の松毬で形成され、前記髭部は、松葉、竹の枝、三又の枝、雲竜柳の枝の少なくともいずれかで形成され、前記角部は、松葉、竹の枝、三又の枝、雲竜柳の枝の少なくともいずれかで形成され、前記胴体部は、稲藁で形成され、前記尾部は、該胴体部の後端部に備えられた稲穂で形成されていることを特徴とする。
【００１５】
また、請求項２記載の考案は、請求項１に記載の注連縄飾りであって、前記胴体部を形成する稲藁は、稲根及び稲穂を除去した稲藁、又は、稲根及び稲穂付きの稲藁のいずれか一方で形成されていることを特徴とする。
ことを特徴とする。
【００１６】
また、請求項３に記載の考案は、請求項１又は請求項２に記載の注連縄飾りであって、前記鱗片が閉じた状態の松毬は、少なくとも一年間鱗片の開きを遅延する処理が施された松毬で形成されていることを特徴とする。
【考案の効果】
【００１７】
本考案の龍形状の注連縄飾りによれば、従来の大型の注連縄、あるいは、これを小型化した注連縄とは形状が顕著に異なり、しかも、いろんな祈願目的に違和感なく用いることができるという顕著な効果を奏する。
【００１８】
また、本考案の龍形状の注連縄飾りによれば、上記効果に加え、従来の注連縄のように、神事において神聖な場所を画するために用いたり、又は、新年に門口に魔除けのために張ったりすることができるという顕著な効果を奏する。
【図面の簡単な説明】
【００１９】
【図１】本考案の実施形態における注連縄飾りの外観斜視図である。
【図２】本考案の実施形態における注連縄飾りの第１の応用例を示す外観斜視図である。
【図３】本考案の実施形態における注連縄飾りの使用状態を示す外観斜視図である。
【図４】本考案の実施形態における注連縄飾りの第２の応用例を示す外観斜視図である。
【図５】本考案の実施形態における注連縄飾りの第２の応用例の使用状態を示す外観斜視図である。
【図６】本考案の実施形態における注連縄飾りの第３の応用例の使用状態を示す外観斜視図である。
【図７】本考案の実施形態における注連縄飾りの第４の応用例の使用状態を示す外観斜視図である。
【考案を実施するための形態】
【００２０】
（実施形態）
以下、好適な実施形態を用いて本考案をさらに具体的に説明する。但し、下記の実施形態は本考案を具現化した例に過ぎず、本考案はこれに限定されるものではない。
【００２１】
本考案の実施形態における注連縄飾りについて、図１、図２を参照しながら説明する。図１に示すように、本考案の実施形態の龍形状の注連縄飾り１は、頭部２、胴体部３、尾部４を備えている。なお、図１には、４つの紙垂９ａ，９ｂ，９ｃ，９ｄが設けられているが、後述するように、応用例によっては紙垂は設けられなくてもよく、紙垂９ａ〜９ｄの大きさ、形状、数は、必要に応じて適宜変更されてよい。
【００２２】
頭部２は、頭本体部５、髭部６ａ，６ｂ、頭毛部７、角部８ａ，８ｂ、を備えている。頭本体部５は、鱗片が閉じた状態の松毬で形成されている。松毬は、水につける等、湿気（水分）が多くなると鱗片が閉じ、逆に、乾燥すると鱗片が開くという性質を有している。本願考案では、松毬を龍の頭部に模しているので、鱗片は閉じた状態であることが好ましい。そこで、頭本体部５の松毬は、鱗片が閉じた状態に処理された松毬を用いている。注連縄飾り１は、御守や正月飾り等としても使用されることを想定しているので、鱗片が閉じた状態は、少なくとも一年間は維持されるように処理されることが望ましい。なお、この鱗片が閉じた状態になる処理方法・手段は、特に限定するものではなく、例えば、処理手段として接着剤を用いてもよい。
【００２３】
頭本体部５を形成する松毬は、根元部を胴体部３に取り付けられている。また、松毬の色は、自然のままでもよいが、黒色、白色、赤色、青色等に着色してもよい。このとき、胴体部３、尾部４、髭部６ａ，６ｂ、角部８ａ，８ｂ等も、頭本体部５と同色に着色してもよい。
【００２４】
髭部６ａ，６ｂは、龍の髭を模しているので、形状としては、細長くて適度に畝りを持つ材料が望ましく、好適には、松葉、竹の枝、三又の枝、雲竜柳の枝の少なくともいずれかで形成されるとよい。また、一対の髭部６ａ，６ｂは、例えば、図１において、紙面上、上下方向に対称に配置されるとよい。
【００２５】
角部８ａ，８ｂもまた、龍の角を模しているので、形状としては、細長くて適度に畝りを持つ材料が望ましく、好適には、松葉、竹の枝、三又の枝、雲竜柳の枝の少なくともいずれかで形成されるとよい。また、一対の角部８ａ，８ｂは、例えば、図１において、紙面上、上下方向に対称に配置されるとよい。
【００２６】
胴体部３は、稲藁で形成されているのであるが、一般的には、稲藁は、刈り取って乾燥され脱穀した後の稲藁であって、稲穂と稲根は、除去されている。胴体部３はこのような稲藁を撚り編みし、適度の長さに形成されている。この場合は、胴体部３先頭部に接続された頭部２に、別途取得した稲根を頭毛部７として取付ける。また、胴体部３の後端部には、尾部４として、適度の長さの稲穂が取り付けられる。結束部３ａは、胴体部３の後端部の結束、胴体部３と尾部４との結束等に用いられ、材料は、稲藁である。頭毛部７もまた、龍の頭毛を模したものであり、尾部４もまた、龍の尾を模したものである。
【００２７】
また、一般的ではないが、いわゆる神田に植えられた稲は、稲根及び稲穂が付いたまま引き抜かれて乾燥され、神事に用いられる。このような稲根及び稲穂付きの稲藁を胴体部３として用いる場合には、稲根はそのまま頭毛部７として用いられ、稲穂はそのまま尾部４として用いられてよい。前述と同様、胴体部３の部分は、撚り編みして形成される。
【００２８】
図２は、本考案の実施形態における注連縄飾りの第１の応用例を示す外観斜視図である。第１の応用例の注連縄飾り１０は、図１で示した注連縄飾り１の胴体部３に龍の手を模した手部１０ａ，１０ｂ、及び、龍の足を模した足部１１ａ，１１ｂを設けたものである。手部１０ａ，１０ｂ、および、足部１１ａ，１１ｂの材料は、形状としては、細長い形状の材料が望ましく、好適には、松葉、竹の枝、三又の枝、雲竜柳の枝の少なくともいずれかで形成されるとよい。
【００２９】
図３は、本考案の実施形態における注連縄飾り１の使用状態を示す外観斜視図である。図３では、注連縄飾り１を、神棚１００に周知の止め具等を用いて飾り付けしたものを示している。注連縄飾り１の大きさ、長さ等は、神棚の大きさに応じたものを選択すればよい。
【００３０】
図４は、本考案の実施形態における注連縄飾りの第２の応用例を示す外観斜視図である。第２の応用例の注連縄飾り２０は、図１で示した注連縄飾り１の胴体部３を略円形にして、新たな胴体部２３として形成したものである。胴体部２３は、略円形に形成するときに、頭部２側を表側に、尾部４を裏側に交差するように形成される。この胴体部２３の交差部は、公知の止め具等で固定されてもよい。頭部２、尾部４については、図１の説明で記載した通りであるので、ここでは、説明を省略する。また、胴体部２３の中央部（つまり、注連縄飾り２０の下部）には、図示するように、一対の紙垂９ｅ，９ｆが、止め具３ｂで取り付けられてもよい。
【００３１】
図５は、本考案の実施形態における注連縄飾りの第２の応用例の使用状態を示す外観斜視図である。第２の応用例の注連縄飾り２０は、図５に示すように、個人の自宅の玄関１１０に正月用注連縄飾りとして飾るために使用されている。注連縄飾り２０を飾る場所は、店舗、企業、工場等々個人自宅以外の場所であってもかまわないことは、言うまでもない。
【００３２】
図６は、本考案の実施形態における注連縄飾りの第３の応用例の使用状態を示す外観斜視図である。第３の応用例の注連縄飾り３０は、図６に示すように、図１で示した注連縄飾り１を用いて倶利伽羅剣を模しているものである。倶利伽羅剣とは、倶利伽羅龍王の持つ剣であり、剣に龍が捲回されている。図６に示したものは、木製の剣１２０ａに注連縄飾り１を捲回させて注連縄飾り３０とし、倶利伽羅剣１２０を模して構成している。
【００３３】
図７は、本考案の実施形態における注連縄飾りの第４の応用例の使用状態を示す外観斜視図である。第４の応用例の注連縄飾り４０は、図７に示すように、図１で示した注連縄飾り１を、台座１３０ｂに立設された流木１３０ａに捲回させてし、全体としてオブジェ１３０として利用したものである。図１〜図６に示した注連縄飾りは、神棚用、玄関用、倶利伽羅剣用等、神聖なものとして専ら用いられるが、図７に示した注連縄飾りは、美術品、装飾品等のオブジェとしても用いることができる。
【符号の説明】
【００３４】
１，１０，２０，３０，４０    注連縄飾り
２    頭部
３，２３  胴体部
３ａ  結束部
３ｂ  止め具
４    尾部
５    頭本体部
６ａ，６ｂ    髭部
７    頭毛部
８ａ，８ｂ    角部
９ａ，９ｂ，９ｃ，９ｄ，９ｅ，９ｆ    紙垂
１０ａ，１０ｂ    手部
１１ａ，１１ｂ    足部
１００  神棚
１１０  玄関
１２０  倶利伽羅剣
１２０ａ  木製の剣
１３０  オブジェ
１３０ａ  流木
１３０ｂ  台座
【図１】
0003230999.tif 000003
【図２】
0003230999.tif 000004
【図３】
0003230999.tif 000005
【図４】
0003230999.tif 000006
【図５】
0003230999.tif 000007
【図６】
0003230999.tif 000008
【図７】
0003230999.tif 000009